(57)【特許請求の範囲】
【請求項１】
水中において上下方向に設置される汚濁防止膜であって、
膜体の下部から上側に向けて鎖状の重錘が上下方向に設置されており、
鎖状の重錘にはチューブ状のカバーが被せられており、
カバーは鎖状の重錘よりも短く形成されて、鎖状の重錘を構成する環状体がカバーの上下の端部から露出し、
重錘は、カバーの上下の端部から露出した部分における環状体の中央孔を通るホルダによって膜体に取り付けられており、
カバーにおける上下の端部以外の位置では、カバーに開口が形成され、その位置では、重錘は、開口を通ってカバー内に入り込んだうえで環状体の中央孔を通るホルダによって膜体に取り付けられていることを特徴とする汚濁防止膜。
【請求項２】
鎖状の重錘は、水平方向に間隔をおいた複数の位置にそれぞれ設置されていることを特徴とする請求項１記載の汚濁防止膜。
【発明の詳細な説明】
【技術分野】
【０００１】
本発明は、水中において上下方向に設置される汚濁防止膜に関する。
【背景技術】
【０００２】
汚濁防止膜は、たとえば海中において土木工事を行う個所を囲むように設置されることで、当該工事に伴う汚濁の拡散を防止することを目的として使用される。
【０００３】
一般的な汚濁防止膜は、水面に設けられた浮体から水中に向けて膜体が垂下された構成となっている。そして、膜体の下端には、膜体の姿勢を上下方向に安定させるための重錘を設置することが通例になっている。
【０００４】
たとえば特許文献１には、鎖状の重錘を膜体の下端に沿って水平方向に設置したものが記載されている。
【先行技術文献】
【特許文献】
【０００５】
【特許文献１】特開２０１３−２４５５３２号公報（図１）
【発明の概要】
【発明が解決しようとする課題】
【０００６】
しかし、膜体の下端に沿って水平方向に鎖状の重錘を設置した場合は、たとえば汚濁防止膜を設置した個所の海底の地盤が岩礁などである場合に、引っ掛かりが生じやすいという問題点がある。
【０００７】
そこで、本発明は、このような問題点を解決して、設置個所の海底の地盤が岩礁である場合などにおいても引っ掛かりが発生しにくい汚濁防止膜を得ることを課題とする。
【課題を解決するための手段】
【０００８】
この課題を解決するために、本発明の、水中において上下方向に設置される汚濁防止膜は、
膜体の下部から上側に向けて鎖状の重錘が上下方向に設置されており、
鎖状の重錘にはチューブ状のカバーが被せられており、
カバーは鎖状の重錘よりも短く形成されて、鎖状の重錘を構成する環状体がカバーの上下の端部から露出し、
重錘は、カバーの上下の端部から露出した部分における環状体の中央孔を通るホルダによって膜体に取り付けられており、
カバーにおける上下の端部以外の位置では、カバーに開口が形成され、その位置では、重錘は、開口を通ってカバー内に入り込んだうえで環状体の中央孔を通るホルダによって膜体に取り付けられていることを特徴とする。
【０００９】
本発明によれば、鎖状の重錘は、水平方向に間隔をおいた複数の位置にそれぞれ設置されていることが好適である。
【発明の効果】
【００１１】
本発明の汚濁防止膜によれば、鎖状の重錘が膜下部から上側に向けて上下方向に設置されているため、重錘を膜体の下端に沿って水平方向に設置した場合に比べて、この重錘が海底などの地盤に引っ掛かりにくいという利点がある。
【００１２】
本発明によれば、鎖状の重錘が、水平方向に間隔をおいた複数の位置に設置されていることで、重錘が海底などの地盤に引っ掛かりにくいという利点を発揮しつつ膜体に十分な重量を付与させることができる。
【００１３】
本発明によれば、鎖状の重錘が、鎖を構成する環状体の中央孔を通るホルダを用いて膜体に取り付けられていることで、この重錘を膜体に確実に取り付けることができる。
【図面の簡単な説明】
【００１４】
【図１】本発明の実施の形態の汚濁防止膜を示す図である。
【図２】同汚濁防止膜における重錘およびその取付構造を示す図である。
【図３】同汚濁防止膜の横断面図である。
【図４】同汚濁防止膜におけるジョイント部を示す図である。
【図５】同汚濁防止膜の設置構造を示す図である。
【発明を実施するための形態】
【００１５】
図１〜図３において、１０は汚濁防止膜を示し、この汚濁防止膜１０は、水面１１およびその近傍において浮遊することができるフロート１２と、このフロート１２から水中に向けて吊り下げられる膜体１３とを有する。膜体１３には重錘１４が取り付けられている。
【００１６】
詳細には、図１に示すように、フロート１２は浮体１６を有する。この浮体１６は、発泡ポリスチレンなどによってブロック状に形成されたものであり、その複数が互いに連結されることで長尺に形成されている。これら複数の浮体１６は、樹脂製の内側カバー１７および外側カバー１８によって覆われている。外側カバー１８はさらに耐摩耗カバー１９にて覆われている。膜体１３と耐摩耗カバー１９とは、いずれも、耐摩耗性に優れた特殊なポリエステルシートなどの、汚濁防止膜を構成するのに適した材料にて形成されている。
【００１７】
浮体１６よりも下側には、水平方向の樹脂製の表裏一対のテンションベルト２０が配置されている。そして、横断面が逆Ｕ字状となる形態で複数の浮体１６を覆った外側カバー１８の下端部がこれら表裏一対のテンションベルト２０と多数の固定ボルト２１とによって挟み付けられて固定されることで、複数の浮体１６が一列に整列された状態でフロート１２の形態が保持される。
【００１８】
耐摩耗カバー１９は横断面が逆Ｕ字状になる形態で浮体１６およびテンションベルト２０を覆い、その下端に膜体１３が接続されている。耐摩耗カバー１９と膜体１３との接続部は、水平方向に配置された表裏一対の樹脂製のベルト２２とボルト２３とを用いて、これら耐摩耗カバー１９の下端部と膜体１３の上端部とを共締めする構成とされている。
【００１９】
なお、外側カバー１８や耐摩耗カバー１９などは、表裏一対に配置されたものの上端をベルト２４とボルト２５とによって固定することで、上述のように横断面が逆Ｕ字状となる形態とすることができる。あるいは、一枚ものの素材を湾曲させることで横断面が逆Ｕ字状となる形態とすることもできる。
【００２０】
重錘１４について説明する。膜体１３の下端縁２８は水平方向に形成されており、この下端縁２８に沿って樹脂製のベルト２９が取り付けられている。膜体１３における下端縁２８から上向きに一定距離をおいた位置には、水平方向の樹脂製のベルト３０がボルト３１を用いて取り付けられている。上下方向におけるベルト２９とベルト３１との間の位置では、水平方向の樹脂製のベルト３２が膜体１３に取り付けられている。重錘１４は、金属製の鎖体３３によって形成されており、この鎖体３３は、その長手方向が上下方向となるように配置された状態でベルト２９、３０、３２の位置で膜体１３に取り付けられている。そして、重錘１４を構成する上下方向の多数の鎖体３３が、互いに水平方向に間隔をおいた状態で膜体１３の下部に取り付けられている。鎖体３３には、チューブ状の樹脂製のカバー３４が被せられている。
【００２１】
膜体１３への鎖体３３の取付構造を説明する。図２に詳しく示すように、各ベルト２９、３０、３２には、Ω字形のホルダ３５がボルト３６によって取り付けられている。鎖体３３は、複数のリング状の環状体３７が互いに繋ぎ合わされたものであるが、ホルダ３５は、そのΩ字形の湾曲部が環状体３７の中央孔３８を通った状態でベルト２９、３０、３２に取り付けられている。これによって、鎖体３３が膜体１３に取り付けられている。
【００２２】
詳細には、カバー３４は鎖体３３よりも若干短く形成され、それによって上端の環状体３７と下端の環状体３７とはカバー３４の端部から露出し、この露出した部分で環状体３７の中央穴３８にホルダ３５が通されている。上下方向に沿った中間のベルト３２の位置では、カバー３４に開口３９が形成され、ホルダ３５は、そのΩ字形の湾曲部が開口３９を通ってカバー３４の内部に入り込んだうえで、環状体３７の中央穴３８に通されている。図２に示すように、ベルト２９、３０、３２を膜体１３の表裏両側に設置すれば、鎖体３３のための確実な取付構造を達成することができる。
【００２３】
膜体１３において、上下方向に沿った鎖体３３の取付範囲は任意である。すなわち、図示の例では、重錘１４を構成する鎖体３３は、膜体１３の下部にのみ取り付けられている。しかし、図１において仮想線で示すように、これを上側の範囲にまで、あるいは、上下方向に沿った膜体１３の全範囲に、設置することもできる。その場合は、ホルダ３５を用いて鎖体３３を膜体１３に取り付けるためのベルトを、必要に応じて増設すれば良い。
【００２４】
汚濁防止膜１０はこのように構成されており、その水深方向つまり上下方向の寸法は、この汚濁防止膜１０を設置すべき場所の水深に応じて適宜に、たとえば数メートル程度に設定することができる。汚濁防止膜１０の長さつまり水平方向の寸法は、その取り扱い性の観点から、数十メートル程度とすることが好ましい。
【００２５】
このようにして１枚の汚濁防止膜１０を構成することができるが、その設置場所の状況に応じて、通常は、複数枚の汚濁防止膜１０が水平方向に接続された態様で使用される。以下、その接続構造について説明する。
【００２６】
図４は、水平方向に隣り合う汚濁防止膜１０どうしの接続部の構造を示す。この接続部では、上下方向に沿ったテンションベルト２０の位置において、連結具４１が設けられている。詳細には、汚濁防止膜１０の端部にはそれぞれ一対の環状金具４２、４３が取り付けられており、そのうちの一方の環状金具４２どうしがシャックル４４によって互いに連結されている。他方の環状金具４３どうしは、後述するアンカーブロックの取り付けのために用いられる。
【００２７】
連結具４１よりも下側の位置では、汚濁防止膜１０を構成する膜体１３の端縁部４５どうしが、ロープ４６によって、上下方向における複数の位置において互いに結び付けられている。膜体１３の下端の位置およびベルト３０の位置では、隣り合う膜体１３どうしが金具４７によって互いに連結されている。連結具４１よりも上側の位置は、すなわちフロート１２の部分は、シート状のジョイントカバー４８によって覆われている。
【００２８】
連結具４１における他方の環状金具４３どうしは、シャックル５０とリング５１とによってアンカーロープ５２の一端部に接続されている。アンカーロープ５２の他端部は、図１に示すようにアンカーブロック５３に接続されている。連結具４１は汚濁防止膜１０の表裏両側に設けられており、それによって、図５に示すように、アンカーブロック５３も汚濁防止膜１０の表裏両側に対応した位置に設置されている。
【００２９】
このような構成によれば、重錘１４を構成する鎖体３３は、上下方向に設置されているため、膜体１３の下端に沿って水平方向に配置される場合に比べて、海底などの地盤に引っ掛かりにくいという利点がある。また鎖体３３は水平方向に間隔をおいた複数の位置に設けられているため、膜体１３に十分な重量を付与させることができる。このため、波浪等による力が作用した場合においても、膜体１３が浮き上がるようなことがなく、確実な汚濁防止効果を発揮することができる。膜体１３を水中において安定に吊り下げ支持するためには、鎖体３３を膜体１３の下部に設置することが効果的である。一方、波浪の作用による浮き上がりを防止するためには、膜体１３における上下方向に沿った広い範囲に重錘１４を設置することが効果的であり、たとえば膜体１３の上下方向に沿った全範囲、つまり膜体１３の下端から上端にわたる範囲に設置することが可能である。
【００３０】
図示の例では、重錘１４を構成する金属製の鎖体３３はカバー３４にて覆われているため、外部に露出せず、したがって汚濁防止膜１０の取り扱い性が良好であるとともに、その外観が良好である。鎖体３３は、その上端と下端のみがカバー３４の端部から突出して露出しているため、その露出の度合いを最低限に抑えたうえで、確実に膜体１３に取り付けることができる。上端と下端以外の個所では、鎖体３３は、開口３９からカバー３４の内部に入り込んだホルダ３５によって膜体１３に取り付けられるため、その点からも露出の程度を低く抑えることができる。鎖体３３を膜体１３の上下方向に沿った広い範囲に設置するときには、それに応じて中間部のベルト３２を用いたカバー３４の内部におけるホルダ３５への取付構造の数を増やせばよい。
【符号の説明】
【００３１】
１１    水面
１２    フロート
１３    膜体
１４    重錘
３３    鎖体
３４    カバー
３５    ホルダ
３７    環状体
３８    中央孔
３９    開口
【要約】
【課題】設置個所の海底の地盤が岩礁である場合などにおいても引っ掛かりが発生しにくい汚濁防止膜を得る。
【解決手段】水中において上下方向に設置される汚濁防止膜１０である。膜１３の下部から上側に向けて、鎖状の重錘１４が上下方向に設置される。鎖状の重錘１４は、水平方向に間隔をおいた複数の位置に、それぞれ設置される。鎖状の重錘１４は、鎖３３を構成する環状体の中央孔を通るホルダ３５を用いて、膜体に取り付けられる。
【選択図】図１【図１】
0006021996.tif 000002
【図２】
0006021996.tif 000003
【図３】
0006021996.tif 000004
【図４】
0006021996.tif 000005
【図５】
0006021996.tif 000006